(57)【要約】      （修正有）【課題】外科手術等の術後における縫合不全のリスクを低減させることができる医療デバイスを提供する。【解決手段】医療デバイス１００は、生体組織の癒合を促進する癒合促進部１１０Ａを備える癒合促進シート１１０を有し、癒合促進シートには、癒合促進シートの少なくとも一部を面方向に対して交差する方向に伸縮可能にする複数のスリット１２０が形成されている。【選択図】図１Ａ
2020162781.tif 000002
【特許請求の範囲】
【請求項１】
生体組織の癒合を促進する癒合促進部を備える癒合促進シートを有し、
前記癒合促進シートには、前記癒合促進シートの少なくとも一部を面方向に対して交差する方向に伸縮可能にする複数のスリットが形成されている、医療デバイス。
【請求項２】
前記癒合促進シートは、前記癒合促進部よりも前記癒合促進シートの面方向の外方側に設けられた枠部を有し、
前記複数のスリットは、前記癒合促進部および前記枠部の少なくとも一方に形成されている、請求項１に記載の癒合促進デバイス。
【請求項３】
前記複数のスリットは、前記癒合促進シートの平面視上における周方向の一部のみに形成されている、請求項１または請求項２に記載の癒合促進デバイス。
【請求項４】
前記癒合促進シートに接続され、牽引操作に伴って前記複数のスリットによる前記癒合促進シートの伸縮操作を可能にする牽引部を有する請求項１〜３のいずれか１項に記載の癒合促進デバイス。
【発明の詳細な説明】
【技術分野】
【０００１】
本発明は、医療デバイスに関する。
【背景技術】
【０００２】
医療の分野において、生体器官を外科的手術により接合する手技（例えば、消化管の吻合術）が知られている。上記のような手技が行われた場合、生体器官同士が接合された接合部における癒合の遅延が生じないことが術後の予後決定因子として重要であることも知られている。
【０００３】
生体器官を接合する手技では種々の方法や医療器具が用いられるが、例えば、生分解性の縫合糸により生体器官を縫合する方法や、ステープラーによる吻合を行う機械式の接合装置（特許文献１を参照）を利用する方法が提案されている。特に、機械式の接合装置を利用して吻合術を行う場合、縫合糸を用いた方法と比較して接合部における生体器官同士の接合力を高めることができるため、縫合不全のリスクを低減させることが可能になる。
【先行技術文献】
【特許文献】
【０００４】
【特許文献１】特表２００７−５０５７０８号公報
【発明の概要】
【発明が解決しようとする課題】
【０００５】
しかしながら、接合部における癒合の進行の程度は、患者の接合対象部位（被接合部位）における生体組織の状態等にも依存する。そのため、例えば、特許文献１に記載されているような接合装置を使用した場合においても、患者の生体組織の状態如何によっては、縫合不全のリスクを十分に低減させることができない可能性もある。
【０００６】
そこで本発明は、外科手術等の術後における縫合不全のリスクを低減させることができる医療デバイスを提供することを目的とする。
【課題を解決するための手段】
【０００７】
本発明の一実施形態に係る医療デバイスは、生体組織の癒合を促進する癒合促進部を備える癒合促進シートを有し、前記癒合促進シートには、前記癒合促進シートの少なくとも一部を面方向に対して交差する方向に伸縮可能にする複数のスリットが形成されている。
【発明の効果】
【０００８】
本発明に係る医療デバイスによれば、接合対象となる生体器官の被接合部位の間に癒合促進シートを挟み込ませることにより、生体器官の生体組織の癒合を促進することができる。また、癒合促進シートに形成された複数のスリットにより、癒合促進シートの一部を当該癒合促進シートの面方向と交差する方向に伸長させて生体器官の外表面に沿わせるように配置することにより、癒合促進シートを生体器官に安定的に保持することができる。そのため、術者は、癒合促進シートが生体器官からズレたり、ヨレて変形したりすることを抑制できる。したがって、生体器官の縫合不全のリスクを効果的に低減させることができる。
【図面の簡単な説明】
【０００９】
【図１Ａ】本発明の医療デバイスの一形態を示す斜視図である。
【図１Ｂ】図１Ａの医療デバイスの使用例を示す斜視図である。
【図２】図１Ａの２Ａ−２Ａ線に沿う断面の一部を拡大して示す断面図である。
【図３】図１Ａの医療デバイスの平面図である。
【図４Ａ】本発明の医療デバイスの変形例１を示す斜視図である。
【図４Ｂ】図４Ａの医療デバイスの使用例を示す斜視図である。
【図５】図４Ａの医療デバイスの平面図である。
【図６】本発明の医療デバイスの変形例２を示す平面図である。
【図７】医療デバイスを用いた処置方法の各手順を示すフローチャートである。
【図８】処置方法の実施形態（膵実質−空腸吻合術）の手順を示すフローチャートである。
【図９】膵実質−空腸吻合術を説明するための模式的な斜視図である。
【図１０】膵実質−空腸吻合術を説明するための模式的な斜視図である。
【図１１】膵実質−空腸吻合術を説明するための模式的な斜視図である。
【図１２】膵実質−空腸吻合術を説明するための模式的な斜視図である。
【図１３】膵実質−空腸吻合術を説明するための模式的な断面図である。
【図１４】膵実質−空腸吻合術を説明するための模式的な斜視図である。
【図１５】膵実質−空腸吻合術を説明するための模式的な斜視図である。
【図１６】膵実質−空腸吻合術を説明するための模式的な斜視図である。
【発明を実施するための形態】
【００１０】
以下、添付した図面を参照して、本発明の実施形態を説明する。なお、図面の説明において同一の要素には同一の符号を付し、重複する説明を省略する。また、図面の寸法比率は、説明の都合上誇張され、実際の比率とは異なる場合がある。
【００１１】
図１Ａは、医療デバイス１００の一形態を示す斜視図である。図１Ｂは、図１Ａの医療デバイス１００の使用例を示す斜視図である。図２は、図１Ａの２Ａ−２Ａ線に沿う断面の一部を拡大して示す断面図である。図３は、医療デバイス１００を表面１１３側から視た平面図である。
【００１２】
＜医療デバイス１００＞
図１Ａに示すように、医療デバイス１００は、接合対象となる生体器官の間に配置される癒合促進シート１１０と、癒合促進シート１１０に設けられた牽引部１３２、１４２と、を有する。
【００１３】
医療デバイス１００は、図９〜図１６に示すように、所定の生体器官同士を接合する手技（例えば、消化管の吻合術）に適用することができる。後述するように、本明細書の説明では、医療デバイス１００を使用した手技例として膵実質−空腸吻合術を説明する。
【００１４】
＜癒合促進シート１１０＞
図１Ａ、図１Ｂ、図２に示すように、癒合促進シート１１０は、複数の貫通孔１１２を有する生分解性シートから形成された生体組織の癒合を促進する癒合促進部１１０Ａを有する。また、癒合促進シート１１０には、当該癒合促進シート１１０の少なくとも一部を面方向に対して交差する方向に伸縮可能にする複数のスリット１２０が形成されている。
【００１５】
癒合促進シート１１０は、癒合促進部１１０Ａよりも癒合促進シート１１０の面方向の外方側に設けられた枠部１１０Ｂを有する。本実施形態では、枠部１１０Ｂには、貫通孔１１２が形成されていない。
【００１６】
＜癒合促進部１１０Ａ＞
癒合促進部１１０Ａに形成された貫通孔１１２は、図１Ａ、図３に示すように、癒合促進シート１１０の面方向において規則的かつ周期的に設けられている。ただし、各貫通孔１１２は、癒合促進シート１１０の面方向の各部においてランダムに設けられていてもよい。
【００１７】
各貫通孔１１２は、図２に示すように、癒合促進シート１１０の厚み方向（図２の上下方向）に沿って表面１１３と裏面１１４との間で略垂直に延びている。なお、各貫通孔１１２は、癒合促進シート１１０の厚み方向に沿う断面において、表面１１３と裏面１１４との間でジグザグ状に屈曲していたり、湾曲していたりしてもよい。
【００１８】
各貫通孔１１２は、図３に示すように、略円形の平面形状（癒合促進シート１１０の表面１１３又は癒合促進シート１１０の裏面１１４を平面視した際の形状）を有する。ただし、各貫通孔１１２の平面形状は、特に限定されず、例えば、楕円形や多角形（矩形や三角形等）であってもよい。また、貫通孔１１２ごとに平面形状や断面形状が異なっていてもよい。
【００１９】
癒合促進シート１１０は、図３に示すように、角部が面取りされた略正方形の平面形状を有する。ただし、癒合促進シート１１０の平面形状は、特に限定されず、例えば、円形、楕円形、多角形（矩形や三角形等）であってもよい。なお、癒合促進シート１１０が図３に示す角部が面取りされた略正方形の平面形状以外で形成される場合においても、癒合促進シート１１０には、例えば、後述する複数のスリット１２０、２２０（図３、図５、図６を参照）と略同一のパターンの複数のスリットを設けることが可能である。
【００２０】
癒合促進シート１１０の厚み（図２に示す寸法Ｔ）は特に制限されないが、好ましくは０．０５〜０．３ｍｍであり、より好ましくは０．１〜０．２ｍｍである。癒合促進部１１０Ａの厚みが０．０５ｍｍ以上である場合（特に０．１ｍｍ以上である場合）、癒合促進シート１１０の取り扱い時に癒合促進部１１０Ａが破損しない程度の強度を備えさせることができる。一方、癒合促進シート１１０の厚みが０．３ｍｍ以下である場合（特に０．２ｍｍ以下である場合）、癒合促進シート１１０が適用される生体組織に癒合促進部１１０Ａが密着して生体組織に追随するのに十分な柔軟性を備えさせることができる。
【００２１】
癒合促進シート１１０は、貫通孔１１２のピッチＰ（図２に示す距離Ｐであり、隣接する貫通孔１１２の間の距離）に対する貫通孔１１２の孔径Ｄ（図２に示す距離Ｄ）の比の値が、０．２５以上４０未満であることが好ましい。なお、貫通孔１１２の平面形状が真円である場合、貫通孔１１２の孔径Ｄは真円の直径に等しくなる。一方、貫通孔１１２の平面形状が真円ではない場合には、貫通孔１１２の開口部（貫通孔１１２において表面１１３又は裏面１１４に面した部分）の面積と同じ面積を有する真円の直径（円相当径）を当該貫通孔１１２の孔径Ｄとすることができる。
【００２２】
癒合促進部１１０Ａは、複数の貫通孔１１２を有するため、各貫通孔１１２に対応する孔径Ｄの値が複数存在する。そこで、本実施形態では、上述した比の値を算出するにあたっては、複数の貫通孔１１２にそれぞれ対応する孔径Ｄの値の２点以上の算術平均値を孔径Ｄの代表値として用いるものとする。一方、複数の貫通孔１１２のピッチＰは、２つの貫通孔１１２の開口部同士の最短距離で定義する。ただし、ピッチＰの値についても隣接する貫通孔１１２の組み合わせに対応するピッチＰの値が複数存在する。したがって、本実施形態では、上述した比の値を算出するにあたっては、隣接する貫通孔１１２の組み合わせにそれぞれ対応するピッチＰの値の２点以上の算術平均値をピッチＰの代表値として用いるものとする。
【００２３】
なお、上記の貫通孔１１２のピッチＰ、孔径Ｄ、ピッチＰに対する孔径Ｄの比等は、一例であり、これに限定されることはない。
【００２４】
癒合促進部１１０Ａは、生分解性の材料で構成することができる。癒合促進部１１０Ａの構成材料について特に制限はなく、例えば、生分解性樹脂が挙げられる。生分解性樹脂としては、例えば、特表２０１１−５２８２７５号公報、特表２００８−５１４７１９号公報、国際公報第２００８−１９５２号、特表２００４−５０９２０５号公報等に記載されるものなどの公知の生分解性（共）重合体が使用できる。具体的には、（１）脂肪族ポリエステル、ポリエステル、ポリ酸無水物、ポリオルソエステル、ポリカーボネート、ポリホスファゼン、ポリリン酸エステル、ポリビニルアルコール、ポリペプチド、多糖、タンパク質、セルロースからなる群から選択される重合体；（２）上記（１）を構成する一以上の単量体から構成される共重合体などが挙げられる。すなわち、生分解性シートは、脂肪族ポリエステル、ポリエステル、ポリ酸無水物、ポリオルソエステル、ポリカーボネート、ポリホスファゼン、ポリリン酸エステル、ポリビニルアルコール、ポリペプチド、多糖、タンパク質、セルロースからなる群から選択される重合体、ならびに前記重合体を構成する一以上の単量体から構成される共重合体からなる群より選択される少なくとも一種の生分解性樹脂を含むことが好ましい。
【００２５】
癒合促進部１１０Ａの製造方法は特に限定されないが、例えば、上述した生分解性樹脂からなる繊維を作製し、当該繊維を用いてメッシュ形状のシートを製造する方法が挙げられる。生分解性樹脂からなる繊維を作製する方法としては、特に限定されないが、例えば、エレクトロスピニング法（電界紡糸法・静電紡糸法）や、メルトブロー法等が挙げられる。癒合促進部１１０Ａは、上記の方法のうち１種のみを選択して用いてもよいし、２種以上を選択し適宜組み合わせてもよい。なお、癒合促進部１１０Ａの製造方法のさらに別の例として、上述した生分解性樹脂からなる繊維を常法に従って紡糸し、得られた繊維をメッシュ状に編むことによって本発明に係る生分解性シートを製造してもよい。
【００２６】
癒合促進部１１０Ａは、癒合促進部１１０Ａを構成する生分解性樹脂等の構成材料によって生体反応を惹起させる。癒合促進部１１０Ａは、この作用により、フィブリン等の生体成分の発現を誘導する。このようにして誘導された生体成分は、癒合促進部１１０Ａの貫通孔１１２を貫通するようにして集積することで、癒合を促進することができる。したがって、接合対象となる生体器官同士の間に癒合促進部１１０Ａを配置することにより、上記のメカニズムによる癒合の促進が生じる。
【００２７】
なお、癒合促進部１１０Ａの材質は、生体器官の癒合を促進させることが可能であれば、生分解性でなくてもよい。また、癒合促進部１１０Ａは、生体器官の癒合を促進させることが可能であれば、材質に関わらず、貫通孔１１２が形成されていなくてもよい。
【００２８】
図１、図３に示すように、複数のスリット１２０は、癒合促進部１１０Ａに形成されている。図２に示すように、複数のスリット１２０の各々は、貫通孔１１２と同様に、癒合促進シート１１０を厚み方向に貫通している。
【００２９】
複数のスリット１２０は、癒合促進シート１１０の中心部Ｃから癒合促進シート１１０の外周縁Ｏ側へ所定の範囲内で広がる放射状のパターンを有する。
【００３０】
癒合促進部１１０Ａは、癒合促進シート１１０の平面視上における角部から中心部Ｃまで延びる仮想線Ｈ１上において、スリットが形成された第１部位１１５ａを間に挟んで、スリットが形成されていない第２部位１１５ｂが隣接するように配置されている。また、癒合促進部１１０Ａは、癒合促進シート１１０の平面視上における角部と角部の間に位置する端辺の任意の部分から中心部Ｃまで延びる仮想線Ｈ２上において、スリットが形成されていない第２部位１１５ｂを間に挟んで、スリットが形成された第１部位１１５ａが隣接するように配置されている。仮想線Ｈ１上に位置する第２部位１１５ｂの仮想線Ｈ１に沿う長さは、仮想線Ｈ２上に位置する第２部位１１５ｂの仮想線Ｈ２に沿う長さよりも長く形成されている。なお、癒合促進シート１１０が図３に示す角部が面取りされた略正方形の平面形状以外で形成される場合、複数のスリット１２０の平面視上における形状（パターン）に応じて、第１部位１１５ａ及び第２部位１１５ｂの位置や第１部位１１５ａ及び第２部位１１５ｂが各仮想線Ｈ１、Ｈ２に沿う長さ等は適宜変更することが可能である。例えば、複数のスリット１２０は、癒合促進シート１１０の平面視上で円弧形状に形成されていてもよい。また、複数のスリット１２０は、癒合促進部１１０Ａ及び枠部１１０Ｂの少なくとも一方に設けられていればよい。
【００３１】
図１Ｂには、複数のスリット１２０により、癒合促進シート１１０の癒合促進部１１０Ａを面方向に伸長させた際の様子を示している。術者は、接合対象となる膵実質Ｂ１の切断面Ｂ１ａに癒合促進シート１１０の癒合促進部１１０Ａを配置し、膵実質Ｂ１の延伸方向へ癒合促進シート１１０を引っ張ることにより、膵実質Ｂ１の外表面に沿わせるように癒合促進部１１０Ａを伸長させることができる。術者は、癒合促進部１１０Ａを伸長させることにより、癒合促進シート１１０を膵実質Ｂ１に引っ掛けるように配置することができる。また、癒合促進部１１０Ａが膵実質Ｂ１の切断面Ｂ１ａの形状に倣うように変形するため、膵実質Ｂ１の切断面Ｂ１ａに癒合促進部１１０Ａを密着させることができる。
【００３２】
＜枠部１１０Ｂ＞
図１Ａ、図３に示すように、枠部１１０Ｂは、癒合促進部１１０Ａの周囲を取り囲むように癒合促進シート１１０に形成されている。枠部１１０Ｂは、外力付加時の変形が容易に生じないように、癒合促進部１１０Ａよりも大きな剛性を備えるように形成されていることが好ましい。枠部１１０Ｂは、例えば、貫通孔１１２のような孔部が形成されていない生分解性シート、癒合促進部１１０Ａよりも高い剛性を備える樹脂製のシートや不織布で構成することができる。
【００３３】
また、癒合促進部１１０Ａの構成材料となる生分解性シートの外周縁Ｏを含む一定の領域に貫通孔１１２を形成しないことにより、癒合促進シート１１０に枠部１１０Ｂを設けてもよい。また、癒合促進部１１０Ａの構成材料となる生分解性シートの外周縁Ｏを含む一定の領域に貫通孔１１２を形成した後、当該領域のみを厚み方向に圧縮したり加熱したりして、貫通孔１１２を押し潰すことにより、生分解性シートの構成材料が密に集合した部分を形成して、当該部分を枠部１１０Ｂとしてもよい。
【００３４】
枠部１１０Ｂには複数のスリット１２０が形成されていない。そのため、図１Ｂに示すように複数のスリット１２０により癒合促進部１１０Ａを伸長させた際、枠部１１０Ｂは、癒合促進部１１０Ａよりも膵実質Ｂ１の切断面Ｂ１ａから離れた位置で膵実質Ｂ１の外表面に沿って面接触するように配置される。そのため、膵実質Ｂ１に対する癒合促進シート１１０の保持力を高めることができる。
【００３５】
なお、癒合促進シート１１０は、癒合促進シート１１０全体が癒合促進部１１０Ａで構成されていてもよい。つまり、癒合促進シート１１０には枠部１１０Ｂが設けられていなくてもよい。
【００３６】
＜牽引部１３２、１４２＞
図１Ａ、図３に示すように、医療デバイス１００は、癒合促進シート１１０に接続され、牽引操作に伴って複数のスリット１２０による癒合促進シート１１０の伸縮操作を可能にする牽引部１３２、１４２を有している。
【００３７】
各牽引部１３２、１４２は、所定の長さを有する紐状の部材や帯状の部材で構成することができる。本実施形態では、枠部１１０Ｂに形成した挿通孔１３１に牽引部１３２を挿通させることにより、牽引部１３２を癒合促進シート１１０に接続している。また、枠部１１０Ｂに形成した挿通孔１４１に牽引部１４２を挿通させることにより、牽引部１４２を癒合促進シート１１０に接続している。
【００３８】
牽引部１３２と牽引部１４２は、癒合促進シート１１０の対向する位置に配置している。牽引部１３２は、図１Ｂに示すように、例えば、癒合促進シート１１０を膵実質Ｂ１に配置する際、膵実質Ｂ１の前壁Ｂ１ｄ（膵実質Ｂ１の周方向の腹側の部分）と対応する箇所に配置することができる。また、牽引部１４２は、例えば、膵実質Ｂ１の後壁Ｂ１ｃ（膵実質Ｂ１の周方向の背側の部分）と対応する箇所に配置することができる。
【００３９】
各牽引部１３２、１４２は、例えば、塩化ビニル、ポリウレタンエラストマー、ポリスチレンエラストマー、スチレンーエチレンーブチレンースチレン共重合体（ＳＥＢＳ）、スチレンーエチレンープロピレンースチレン共重合体（ＳＥＰＳ）などの熱可塑性エラストマー、ナイロン、ＰＥＴなどの熱可塑性樹脂、又はゴム、シリコーンエラストマー、繊維素材、ＳＵＳ線、銅線、チタン線、ナイチノール線などの金属等で構成することができる。また、各牽引部１３２、１４２は、例えば、癒合促進部１１０Ａと同様の材料で構成することもできる。癒合促進部１１０Ａと同様の材料で構成することにより、癒合促進部１１０Ａと同一の製造現場で製造することが可能になるため、製造作業が容易なものとなる。
【００４０】
なお、牽引部１３２、１４２の設置は省略してもよいし、牽引部１３２、１４２の一方のみを癒合促進シート１１０に設置してもよい。また、牽引部１３２、１４２を癒合促進シート１１０に配置する位置なども特に限定されない。また、牽引部１３２、１４２の長さ、断面形状、太さ等も特に限定されない。
【００４１】
術者は、図１Ｂに示すように、癒合促進部１１０Ａを伸長させる際、膵実質Ｂ１の切断面Ｂ１ａから膵実質Ｂ１の延伸方向に沿って離れる方向へ向けて各牽引部１３２、１４２を牽引することにより、癒合促進部１１０Ａを切断面Ｂ１ａに密着させつつ、複数のスリット１２０により癒合促進部１１０Ａを伸長させることができる。本実施形態では、各牽引部１３２、１４２を枠部１１０Ｂに接続しているため、各牽引部１３２、１４２を牽引した際、癒合促進シート１１０が破れたりすることを防止しつつ、癒合促進シート１１０に牽引力を伝達させることができる。
【００４２】
以上説明したように、本実施形態に係る医療デバイス１００は、生体組織の癒合を促進する癒合促進部１１０Ａを備える癒合促進シート１１０を有し、癒合促進シート１１０には、当該癒合促進シート１１０の少なくとも一部を面方向に対して交差する方向に伸縮可能にする複数のスリット１２０が形成されている。
【００４３】
上記のように構成された医療デバイス１００によれば、接合対象となる生体器官の被接合部位の間に癒合促進シート１１０を挟み込ませることにより、生体器官の生体組織の癒合を促進することができる。また、癒合促進シート１１０に形成された複数のスリット１２０により、癒合促進シート１１０の一部を面方向と交差する方向に伸長させて生体器官の外表面に沿わせるように配置することにより、癒合促進シート１１０を生体器官に安定的に保持することができる。そのため、術者は、癒合促進シート１１０が生体器官からズレたり、ヨレて変形したりすることを抑制できる。したがって、生体器官の縫合不全のリスクを効果的に低減させることができる。
【００４４】
また、癒合促進シート１１０は、癒合促進部１１０Ａよりも癒合促進シート１１０の面方向の外方側に設けられた枠部１１０Ｂを有している。また、複数のスリット１２０は、癒合促進部１１０Ａに形成されている。そのため、術者は、患者や症例毎に異なる被接合部位（例えば、膵実質Ｂ１の切断面Ｂ１ａ）の形状及び断面積の差異に関わらず、癒合促進部１１０Ａを柔軟に変形させることができる。そのため、被接合部位に癒合促進部１１０Ａをより確実に密着させることができる。
【００４５】
また、医療デバイス１００は、癒合促進シート１１０に接続され、牽引操作に伴って複数のスリット１２０による癒合促進シート１１０の伸縮操作を可能にする牽引部１３２、１４２を有する。そのため、術者は、各牽引部１３２、１４２を牽引することにより、癒合促進部１１０Ａを容易に伸長させることができる。
【００４６】
次に、上述した実施形態の変形例を説明する。変形例の説明では、前述した実施形態で既に説明した構成部材等についての詳細な説明は省略する。また、変形例の説明で特に説明がない内容については、前述した実施形態と同一のものとすることができる。
【００４７】
＜変形例１＞
図４Ａは、変形例１に係る医療デバイス２００の斜視図、図４Ｂは、変形例１に係る医療デバイス２００の使用例を示す斜視図、図５は、変形例１に係る医療デバイス２００の平面図である。
【００４８】
図４Ａ、図５に示すように、変形例１に係る医療デバイス２００が備える癒合促進シート２１０では、癒合促進部１１０Ａには複数のスリットが形成されておらず、枠部１１０Ｂに複数のスリット２２０が形成されている。
【００４９】
枠部１１０Ｂは、癒合促進シート２１０の平面視上における角部から中心部Ｃまで延びる仮想線Ｈ１上において、スリットが形成されていない第２部位１１５ｂを間に挟んで、スリットが形成された第１部位１１５ａが隣接するように配置されている。また、枠部１１０Ｂは、癒合促進シート２１０の平面視上における角部と角部の間に位置する端辺の任意の部分から中心部Ｃまで延びる仮想線Ｈ２上において、スリットが形成されていない第２部位１１５ｂを間に挟んで、スリットが形成された第１部位１１５ａが隣接するように配置されている。仮想線Ｈ１上に位置する第２部位１１５ｂの仮想線Ｈ１に沿う長さは、仮想線Ｈ２上に位置する第２部位１１５ｂの仮想線Ｈ２に沿う長さよりも長く形成されている。
【００５０】
図４Ｂには、複数のスリット２２０により、癒合促進シート２１０の癒合促進部１１０Ａの周囲を囲むように配置された枠部１１０Ｂを面方向に伸長させた際の様子を示している。術者は、接合対象となる膵実質Ｂ１の切断面Ｂ１ａに癒合促進シート２１０の癒合促進部１１０Ａを配置し、膵実質Ｂ１の延伸方向へ癒合促進シート２１０を引っ張ることにより、膵実質Ｂ１の外表面に沿わせるように枠部１１０Ｂを伸長させることができる。術者は、枠部１１０Ｂを膵実質Ｂ１の外周面に引っ掛けるように配置することができる。そのため、膵実質Ｂ１に対する癒合促進シート２１０の保持力をより一層高めることができる。
【００５１】
＜変形例２＞
図６は、変形例２に係る医療デバイス３００の平面図である。
【００５２】
図６に示すように、変形例２に係る医療デバイス３００が備える癒合促進シート３１０は、癒合促進シート３１０の平面視上における周方向の一部のみに複数のスリット２２０が形成されている。なお、複数のスリット２２０は、変形例１と同様に枠部１１０Ｂのみに形成されている。
【００５３】
複数のスリット２２０は、例えば、膵実質Ｂ１の前壁Ｂ１ｄ（膵実質Ｂ１の周方向の腹側の部分）と対応する周方向の一部のみに形成することができる。このように複数のスリット２２０を形成した場合、癒合促進シート３１０を使用した手技において、癒合促進シート３１０の膵実質Ｂ１の後壁Ｂ１ｃ（膵実質Ｂ１の周方向の背側の部分）と対応する箇所を後壁Ｂ１ｃに縫合して固定した後、牽引部１３２を膵実質Ｂ１の前壁Ｂ１ｄ（膵実質Ｂ１の周方向の腹側の部分）で牽引することにより、癒合促進シート３１０にシワが生じないようにしっかりと引き伸ばすことができる。したがって、膵実質Ｂ１の切断面Ｂ１ａに癒合促進シート３１０の癒合促進部１１０Ａをより適切に保持させることができる。
【００５４】
＜処置方法の実施形態（生体器官吻合術）＞
次に、医療デバイスを用いた処置方法を説明する。
【００５５】
図７は、医療デバイスを用いた処置方法の各手順を示すフローチャートである。
【００５６】
処置方法は、複数のスリットが形成された癒合促進シートを備える医療デバイスを準備すること（Ｓ１１）、癒合促進シートを一方の被接合部位に配置すること（Ｓ１２）、癒合促進シートを伸長させること（Ｓ１３）、癒合促進シートを一方の被接合部位に固定すること（Ｓ１４）、一方の被接合部位と他方の被接合部位との間に癒合促進シートの少なくとも一部を配置した状態で一方の被接合部位と他方の被接合部位とを接合すること（Ｓ１５）、を含む。
【００５７】
処置方法により接合される生体器官および生体器官における被接合部位は特に限定されず、任意に選択することができる。以下の説明では、膵実質−空腸吻合術を例に挙げて説明する。ただし、上記処置方法は、大腸吻合術や胃管吻合術に適用されてもよい。また、以下に説明する各手技において使用される医療デバイスとしては、例えば、前述した医療デバイスの中から任意のものを選択することが可能である。ただし、以下の説明では、各手技に好適に用いることができる代表的な例として、特定の医療デバイスの使用例を説明する。また、以下に説明する各手技において、公知の手技手順や公知の医療装置・医療器具等については詳細な説明を適宜省略する。
【００５８】
以下、本明細書の説明において「生体器官の間に癒合促進シートを配置する」とは、生体器官に癒合促進シートが直接的にまたは間接的に接触した状態で配置されること、生体器官との間に空間的な隙間が形成された状態で癒合促進シートが配置されること、またはその両方の状態で癒合促進シートが配置されること（例えば、一方の生体器官に癒合促進シートが接触し、他方の生体器官には癒合促進シートが接触していない状態で配置されること）の少なくとも一つを意味する。また、本明細書の説明において「周辺」とは、厳密な範囲（領域）を規定するものではなく、処置の目的（生体器官同士の接合）を達成し得る限りにおいて、所定の範囲（領域）を意味する。また、各処置方法において説明する手技手順は、処置の目的を達成し得る限りにおいて、順番を適宜入れ替えることが可能である。
【００５９】
＜処置方法の実施形態（膵実質−空腸吻合術）＞
図８は、処置方法の実施形態（膵実質−空腸吻合術）の手順を示すフローチャートであり、図９〜図１６は、膵実質−空腸吻合術の説明に供する図である。
【００６０】
本実施形態に係る処置方法において、接合対象となる生体器官は、膵頭十二指腸切除後の膵実質Ｂ１と、空腸Ｂ２である。以下の説明では、切断した膵実質Ｂ１の切断面Ｂ１ａ周辺（一方の被接合部位）と空腸Ｂ２の腸壁の任意の部位（他方の被接合部位）を接合する手順を説明する。また、本実施形態では、図１Ａに示した医療デバイス１００の使用例を説明する。
【００６１】
図８に示すように、本実施形態に係る処置方法は、複数のスリット１２０が形成された癒合促進シート１１０を備える医療デバイス１００を準備すること（Ｓ１０１）、癒合促進シート１１０を膵実質Ｂ１の切断面Ｂ１ａ上に配置すること（Ｓ１０２）、癒合促進シート１１０の一部を複数のスリット１２０により伸長させること（Ｓ１０３）、癒合促進シートを固定部材で固定すること（Ｓ１０４）、膵実質Ｂ１と空腸Ｂ２の間に癒合促進シート１１０を挟み込むこと（Ｓ１０５）、膵実質Ｂ１と空腸Ｂ２の間に癒合促進シート１１０を挟み込んだ状態で接合すること（Ｓ１０６）、膵実質Ｂ１と空腸Ｂ２の間に癒合促進シート１１０を留置すること（Ｓ１０７）、を含む。
【００６２】
次に、図９〜図１６を参照して、本実施形態に係る処置方法の一例を具体的に説明する。なお、図１４では、後述する複数の両端針９２０ａ〜９２０ｅを省略している。
【００６３】
図９に示すように、術者は、癒合促進シート１１０の裏面１１４（又は表面１１３）を膵実質Ｂ１の切断面Ｂ１ａに対向させて配置する。術者は、膵実質Ｂ１の切断面Ｂ１ａに癒合促進部１１０Ａを配置した状態で各牽引部１３２、１４２を牽引することにより、癒合促進シート１１０の癒合促進部１１０Ａを膵実質Ｂ１の切断面Ｂ１ａに密着させることができる（図１Ｂを参照）。
【００６４】
癒合促進シート１１０を膵実質Ｂ１の切断面Ｂ１ａに配置する際、術者は、以下の作業手順を採用することができる。まず、術者は、膵管チューブ９１０の端部９１１（または端部９１２）を癒合促進シート１１０に押し付けることによって癒合促進シート１１０に孔部１３０を形成する。また、術者は、膵管チューブ９１０の端部９１１が空腸Ｂ２の吻合予定部位の貫通孔Ｂ２ａから空腸Ｂ２の内部を通り、空腸Ｂ２の貫通孔Ｂ２ｂから空腸Ｂ２の外部に出るように、膵管チューブ９１０を空腸Ｂ２に挿通させる。
【００６５】
次に、術者は、膵管チューブ９１０が癒合促進シート１１０の孔部１３０を挿通して癒合促進シート１１０を保持した状態で、膵管チューブ９１０の端部９１２を膵実質Ｂ１の膵管Ｂ１ｂに仮挿入する。
【００６６】
なお、膵管チューブ９１０としては、例えば、端部９１２に抜け防止用のコブ（凸部）が形成された樹脂製の公知のものを利用することができる。膵管Ｂ１ｂに仮挿入された膵管チューブ９１０は、手技中に膵管Ｂ１ｂから膵液等の体液が漏出することを抑制する。このような手順によれば、術者は、癒合促進シート１１０の配置及び膵管チューブ９１０の仮挿入を一度に行うことができる。
【００６７】
また、術者は、膵管チューブ９１０を挿通させるための孔部１３０を形成する際に、膵管チューブ９１０ではなく他のデバイスを用いてもよい。また、膵管チューブ９１０を挿通させるための孔部１３０は、使用前の状態で予め癒合促進シート１１０に形成されていてもよい。また、術者は、膵実質Ｂ１の切断面Ｂ１ａに癒合促進シート１１０を配置した後に、膵管チューブ９１０を膵管Ｂ１ｂに仮挿入してもよい。
【００６８】
次に、術者は、癒合促進シート１１０を固定部材で膵実質Ｂ１に固定する。なお、以下の説明では、縫合糸付きの複数の両端針９２０ａ〜９２０ｅを固定部材として用いて癒合促進シート１１０を膵実質Ｂ１に固定する手順の一例を説明する。両端針９２０ａ〜９２０ｅとしては、生体吸収性を備える吸収糸（縫合糸）と、吸収糸の両端に取り付けられた生体適合性を備える針部と、を有する公知のものを用いることができる。なお、後述する両端針９３０、９４０ａ〜９４０ｅについても、吸収糸および針部を備えるように構成している。
【００６９】
まず、術者は、図１０に示すように、膵実質Ｂ１に対して癒合促進シート１１０を保持した状態で、膵実質Ｂ１の後壁Ｂ１ｃ（膵実質Ｂ１の周方向の背側の部分）および癒合促進シート１１０において後壁Ｂ１ｃ上に配置された部分から、膵実質Ｂ１の前壁Ｂ１ｄおよび癒合促進シート１１０において前壁Ｂ１ｄ上に配置された部分に向かって、両端針９２０ａを運針する。次に、術者は、空腸Ｂ２の吻合予定部位（貫通孔Ｂ２ａの周辺）の空腸漿膜筋層を挿通するように両端針９２０ａを運針する。術者は、このような操作を繰り返し、図１１に示すように、癒合促進シート１１０、膵実質Ｂ１、および空腸Ｂ２の空腸漿膜筋層に複数の両端針９２０ａ〜９２０ｅに複数の両端針９２０ａ〜９２０ｅを挿通させる。このように、術者は、膵実質Ｂ１と空腸Ｂ２を縫合する複数の両端針９２０ａ〜９２０ｅを利用して、癒合促進シート１１０を膵実質Ｂ１に固定できる。
【００７０】
術者は、癒合促進シート１１０を膵実質Ｂ１の切断面Ｂ１ａに固定した後、牽引部１３２、１４２による牽引操作を中断してもよい。なお、牽引部１３２、１４２は癒合促進シート１１０から適宜分離させてもよい。術者は、癒合促進シート１１０を膵実質Ｂ１の切断面Ｂ１ａに固定するまでの間、複数のスリット１２０により癒合促進シート１１０の癒合促進部１１０Ａを伸長させて膵実質Ｂ１の切断面Ｂ１ａに密着させた状態を維持することにより、癒合促進シート１１０が膵実質Ｂ１の切断面Ｂ１ａからズレたり、脱落したりすることを防止することができる。
【００７１】
なお、膵実質Ｂ１、および空腸Ｂ２の空腸漿膜筋層に挿通させる両端針の本数や両端針を挿通させる位置は特に限定されない。また、術者は、複数の両端針９２０ａ〜９２０ｅではなく、生分解性のステープル等を固定部材として、癒合促進シート１１０を膵実質Ｂ１に固定してもよい。
【００７２】
次に、術者は、図１０に示すように、膵管チューブ９１０の端部９１２を膵管Ｂ１ｂから抜去する。
【００７３】
次に、術者は、図１０に示すように、膵管Ｂ１ｂの内腔側から膵実質Ｂ１の切断面Ｂ１ａの前壁Ｂ１ｄ側の部分に向かって、両端針９３０を通す。両端針９３０は、空腸Ｂ２を挿通させない状態でピンセット等の把持器具（図示省略）で手技の邪魔にならないように保持される。
【００７４】
次に、術者は、図１１および図１３に示すように、膵管Ｂ１ｂの内腔側から膵実質Ｂ１の切断面Ｂ１ａに向かって、両端針９４０ａの一端を運針する。次に、術者は、図１２および図１３に示すように、両端針９４０ａの他端を空腸Ｂ２の貫通孔Ｂ２ａに挿入し、空腸Ｂ２の内部から空腸Ｂ２の外部に向かって両端針９４０ａの他端を運針する。そして、術者は、図１４に示すように、膵管Ｂ１ｂの周方向の異なる部位および空腸Ｂ２に、複数の両端針９４０ａ〜９４０ｅを挿通させる。なお、図１３は、吻合される前の膵実質Ｂ１と空腸Ｂ２の一部をも模式的に示す断面図である。
【００７５】
次に、術者は、図１４に示すように、膵実質Ｂ１の後壁Ｂ１ｃおよび膵管Ｂ１ｂを空腸Ｂ２の吻合予定部位に密着させる。そして、複数の両端針９４０ａ〜９４０ｅのうち、膵管Ｂ１ｂの周方向の背側（後壁Ｂ１ｃ側）を挿通する両端針９４０ｃ〜９４０ｅを結紮する。
【００７６】
次に、術者は、図１５に示すように、膵管チューブ９１０の端部９１２を膵管Ｂ１ｂに再挿入する。次に、術者は、両端針９３０において膵管Ｂ１ｂの内側から延びる針部９３１を、空腸Ｂ２に形成した貫通孔Ｂ２ｂに挿入し、空腸Ｂ２の内部から空腸Ｂ２の外部に向かって針部９３１運針する。
【００７７】
次に、術者は、両端針９３０、９４０ａ、９４０ｂを結紮する（図示省略）。なお、膵管Ｂ１ｂおよび空腸Ｂ２に挿通させる両端針の本数や両端針を挿通させる位置は特に限定されない。
【００７８】
次に、術者は、図１６に示すように、術者の指を以って空腸Ｂ２を膵実質Ｂ１に対して押さえつけながら両端針９２０ａ〜９２０ｅを結紮する。これによって、膵実質Ｂ１と空腸Ｂ２が癒合促進シート１１０を挟み込んだ状態で縫合される。空腸Ｂ２は、縫合時に生じる張力により、膵実質Ｂ１の切断面Ｂ１ａおよび癒合促進シート１１０の癒合促進部１１０Ａを包み込むように変形する。
【００７９】
術者は、膵実質Ｂ１の切断面Ｂ１ａと空腸Ｂ２の腸壁との間に癒合促進シート１１０の癒合促進部１１０Ａが挟み込まれた状態で癒合促進シート１１０を留置する。癒合促進シート１１０の癒合促進部１１０Ａは、膵実質Ｂ１の切断面Ｂ１ａと空腸Ｂ２の腸壁とに接触しつつ、膵実質Ｂ１の切断面Ｂ１ａと空腸Ｂ２の腸壁との間に留置されることにより、膵実質Ｂ１の生体組織と空腸Ｂ２の腸壁の生体組織の癒合を促進する。
【００８０】
以上のように、本実施形態に係る処置方法は、膵実質Ｂ１および空腸Ｂ２を接合する手技に適用される。また、上記の処置方法では、切断された膵実質Ｂ１の切断面Ｂ１ａ周辺と空腸Ｂ２の腸壁（空腸漿膜筋層）を接合する。この処置方法によれば、膵実質Ｂ１の切断面Ｂ１ａと空腸Ｂ２の腸壁の間に挟み込んだ癒合促進シート１１０の癒合促進部１１０Ａにより、膵実質Ｂ１の生体組織と空腸Ｂ２の腸壁の生体組織の癒合を促進することができ、膵実質−空腸吻合術後の縫合不全のリスクを低減させることができる。
【００８１】
また、癒合促進シート１１０に形成した複数のスリット１２０により、癒合促進シート１１０の少なくとも一部を癒合促進シート１１０の面方向と交差する方向に伸長させることにより、手技の最中、癒合促進部１１０Ａを膵実質Ｂ１の切断面Ｂ１ａに密着させることができる。
【符号の説明】
【００８２】
１００、２００、３００    医療デバイス、
１１０、２１０、３２０    癒合促進シート、
１１０Ａ  癒合促進部、
１１０Ｂ  枠部、
１１２    貫通孔、
１２０、２２０    複数のスリット、
１３２、１４２    牽引部、
Ｂ１      膵実質、
Ｂ２      空腸。
【図１Ａ】
2020162781.tif 000003
【図１Ｂ】
2020162781.tif 000004
【図２】
2020162781.tif 000005
【図３】
2020162781.tif 000006
【図４Ａ】
2020162781.tif 000007
【図４Ｂ】
2020162781.tif 000008
【図５】
2020162781.tif 000009
【図６】
2020162781.tif 000010
【図７】
2020162781.tif 000011
【図８】
2020162781.tif 000012
【図９】
2020162781.tif 000013
【図１０】
2020162781.tif 000014
【図１１】
2020162781.tif 000015
【図１２】
2020162781.tif 000016
【図１３】
2020162781.tif 000017
【図１４】
2020162781.tif 000018
【図１５】
2020162781.tif 000019
【図１６】
2020162781.tif 000020